(57)【要約】【課題】蛍光ランプの光出力を向上させた照明器具を提供する。【解決手段】照明器具１は、口金７ａが下側になるようにランプソケット４に装着された蛍光ランプ７を備えている。蛍光ランプ７は定格消費電力が５５Ｗ以上１２０Ｗ以下のものであり、透光性のカバー８内に収容されている。ここで、定格消費電力が５５Ｗ以上６０Ｗ未満の蛍光ランプ７を使用する場合には表面積が０．２１４ｍ２を超え０．３０１ｍ２以下のものをカバー８を使用し、定格消費電力が６０Ｗ以上８０Ｗ未満の蛍光ランプ７を使用する場合には表面積が０．２６２ｍ２を超え０．３３３ｍ２以下のカバー８を使用し、定格消費電力が８０Ｗ以上１００Ｗ未満の蛍光ランプ７を使用する場合には表面積が０．３０９ｍ２を超え０．４６０ｍ２以下のカバー８を使用し、定格消費電力が１００Ｗ以上１２０Ｗ以下の蛍光ランプを使用する場合には表面積が０．３５７ｍ２を超え０．５８７ｍ２以下のカバー８を使用する。【選択図】図１
2005216509.tif 000002
【特許請求の範囲】
【請求項１】
ランプソケットを備えたベースと；
口金を備え、前記口金が下側に位置するように前記ランプソケットに装着された定格消費電力が５５Ｗ以上１２０Ｗ以下の蛍光ランプと；
前記蛍光ランプの定格消費電力が５５Ｗ以上６０Ｗ未満の場合には表面積が０．２１４ｍ２を超え０．３０１ｍ２以下であり、前記蛍光ランプの定格消費電力が６０Ｗ以上８０Ｗ未満の場合には表面積が０．２６２ｍ２を超え０．３３３ｍ２以下であり、前記蛍光ランプの定格消費電力が８０Ｗ以上１００Ｗ未満の場合には表面積が０．３０９ｍ２を超え０．４６０ｍ２以下であり、前記蛍光ランプの定格消費電力が１００Ｗ以上１２０Ｗ以下の場合には表面積が０．３５７ｍ２を超え０．５８７ｍ２以下であり、前記蛍光ランプを覆うカバーと；
を具備することを特徴とする照明器具。
【請求項２】
前記蛍光ランプが配置されている空間は、密閉空間となっていることを特徴とする請求項１記載の照明器具。
【発明の詳細な説明】
【技術分野】
【０００１】
本発明は、街路、公園等の支柱に取付けられる照明器具に関する。
【背景技術】
【０００２】
従来から、公園等の支柱には街路灯としての照明器具が設置されている。このような照明器具には、支柱の上部に口金が下側になるようにランプを取付け、このランプをカバーで覆ったものがある（特許文献１参照。）。現在、ランプとして高輝度放電ランプが使用されているが、蛍光ランプの高出力化により高輝度放電ランプに代わって蛍光ランプが使用されることが増加した。
【特許文献１】実公平１−２８５８３号公報
【発明の開示】
【発明が解決しようとする課題】
【０００３】
しかしながら、口金が下側になるように蛍光ランプを配置した場合には、蛍光ランプの光出力が低くなるという問題がある。これは、蛍光ランプの光出力は周囲温度に依存する傾向があり、蛍光ランプの周囲温度が最適な温度に維持されていないためであると考えられる。
【０００４】
本発明は上記問題を解決するためになされたものである。即ち、蛍光ランプの光出力を向上させた照明器具を提供することを目的とする。
【課題を解決するための手段】
【０００５】
請求項１記載の照明器具は、ランプソケットを備えたベースと；口金を備え、前記口金が下側に位置するように前記ランプソケットに装着された定格消費電力が５５Ｗ以上１２０Ｗ以下の蛍光ランプと；前記蛍光ランプの定格消費電力が５５Ｗ以上６０Ｗ未満の場合には表面積が０．２１４ｍ２を超え０．３０１ｍ２以下であり、前記蛍光ランプの定格消費電力が６０Ｗ以上８０Ｗ未満の場合には表面積が０．２６２ｍ２を超え０．３３３ｍ２以下であり、前記蛍光ランプの定格消費電力が８０Ｗ以上１００Ｗ未満の場合には表面積が０．３０９ｍ２を超え０．４６０ｍ２以下であり、前記蛍光ランプの定格消費電力が１００Ｗ以上１２０Ｗ以下の場合には表面積が０．３５７ｍ２を超え０．５８７ｍ２以下であり、前記蛍光ランプを覆うカバーと；を具備することを特徴としている。
【０００６】
請求項２記載の照明器具は、請求項１記載の照明器具であって、前記蛍光ランプが配置されている空間が、密閉空間となっていることを特徴としている。
【発明の効果】
【０００７】
請求項１記載の照明器具によれば、蛍光ランプの周囲温度が最適な温度となるので、高い光出力を得ることができる。また、従来の高輝度放電ランプを収容した照明器具と比較してカバーの大きさを小さくすることができるので、照明器具を軽量化することができる。このため、照明器具の施工がし易くなり、また照明器具を設置している支柱の選択の幅が広がる。請求項２記載の照明器具によれば、蛍光ランプが配置されている空間が密閉空間となっているので、蛍光ランプから発せられた熱が逃げ難く、蛍光ランプの周囲温度を確実に最適な温度にすることができる。
【発明を実施するための最良の形態】
【０００８】
（第１の実施の形態）
以下、第１の実施の形態について説明する。図１は本実施の形態に係る照明器具の模式的な垂直断面図であり、図２は本実施の形態に係る蛍光ランプの周囲温度と蛍光ランプの光出力との関係を示したグラフである。
【０００９】
図１に示されるように、照明器具１は、中空構造の支柱Ｐの上部に取付けられるベース２を備えている。ベース２は、アルミダイカストにより形成されたベース本体３、後述する蛍光ランプ７を保持するためのランプソケット４等から構成されている。ベース本体３の表側には環状の突出部３ａが形成されており、突出部３ａの内側の領域にはランプソケット４が配置されている。
【００１０】
ベース本体３の裏側には、支柱Ｐに対するベース本体３の位置決めを行うための環状の溝３ｂが突出部３ａに沿って形成されている。溝３ｂと支柱Ｐの上部とを嵌合させることにより、支柱Ｐに対するベース本体３の位置決めが行われる。
【００１１】
支柱Ｐ近傍のベース本体３の部分にはねじ孔３ｃが形成されており、ねじ孔３ｃにはベース本体３の表側から裏側に貫通したねじ５が螺合している。ねじ５を締め付けることにより、ねじ５の先端が支柱Ｐに当接し、ベース２が支柱Ｐに固定される。また、ベース本体３の外周部には、ベース２に後述するカバー８を取付けるための孔３ｄが所定箇所に形成されている。
【００１２】
ベース本体３の裏面側には、後述する蛍光ランプ７を点灯させるための点灯回路６がベース本体３に取付けられている。点灯回路６は支柱Ｐの内部に配置されるようにベース本体３に取付けられている。
【００１３】
ランプソケット４には、口金７ａが下側になるように蛍光ランプ７が装着されている。本実施の形態では、蛍光ランプ７として３本のＵ字状の発光管を備えたものが図示されている。蛍光ランプ７は、定格消費電力が５５Ｗ以上１２０Ｗ以下のものである。
【００１４】
蛍光ランプ７は、透光性のカバー８内に収容されている。カバー８は、例えばアクリルのような透光性の合成樹脂、及びガラス等でされている。カバー８は、この実施の形態のようにカバー全面が透光性のものであってもよく、またカバー８の一部のみが透光性であってもよい。カバー８は、略球状に形成されているが、蛍光ランプ７を挿入するための開口８ａが下方に形成されている。
【００１５】
カバー８は、蛍光ランプ７が５５Ｗ以上６０Ｗ未満の場合には外径が２６１ｍｍを超え３１０ｍｍ以下のもの、蛍光ランプ７が６０Ｗ以上８０Ｗ未満の場合には外径が２８９ｍｍを超え３２６ｍｍ以下のもの、蛍光ランプ７が８０Ｗ以上１００Ｗ未満の場合には外径が３１４ｍｍを超え３８３ｍｍ以下のもの、蛍光ランプ７が１００Ｗ以上１２０Ｗ以下の場合には外径が３３７ｍｍを超え４３２ｍｍ以下のものが使用される。ここで、カバー８の下方には開口８ａが形成されているので、カバー８は完全な球状ではないが、カバー８の球状部分における外側の直径ｄを「外径」としている。
【００１６】
上記カバー８の外径に基づいてカバー８の外側の表面積を求めると、蛍光ランプ７が５５Ｗ以上６０Ｗ未満の場合に使用されるカバー８の表面積は０．２１４ｍ２を超え０．３０１ｍ２以下になり、蛍光ランプ７が６０Ｗ以上８０Ｗ未満の場合に使用されるカバー８の表面積は０．２６２ｍ２を超え０．３３３ｍ２以下になり、蛍光ランプ７が８０Ｗ以上１００Ｗ未満の場合に使用されるカバー８の表面積は０．３０９ｍ２を超え０．４６０ｍ２以下になり、蛍光ランプ７が１００Ｗ以上１２０Ｗ以下の場合に使用されるカバー８の表面積は０．３５７ｍ２を超え０．５８７ｍ２以下になる。
【００１７】
カバー８の開口縁部には、カバー８をベース２に取付けるための環状の枠体９が取付けられている。枠体９にはねじ孔９ａが形成されており、ねじ孔９ａには孔３ｄを介してねじ１０が螺合している。孔３ｄを介してねじ孔９ａにねじ１０を螺合させることによりカバー８がベース２に取付けられる。ここで、蛍光ランプ７が配置されている空間が密閉空間となるようにカバー８とベース２は取付けられている。なお、ベース２には水抜穴は設けられていない。
【００１８】
本実施の形態では、蛍光ランプ７の定格消費電力に応じた大きさのカバー８を使用しているので、カバー８内部の蛍光ランプ７の周囲温度が最適な温度になり、高い光出力が得られる。即ち、図２に示されるように口金が下側に位置するように蛍光ランプ配置した場合（ベースダウン）と口金が上側に位置するように蛍光ランプを配置した場合（ベースアップ）では、最適な周囲温度はベースダウンの場合方がベースアップの場合よりも高い温度領域に存在する。具体的には、ベースダウンの場合には周囲温度が３０℃以上のとき十分高い光出力が得られるが、周囲温度が８０℃を超えるとランプソケットや口金等の部品が熱により劣化してしまうおそれがあるため、蛍光ランプ７の周囲温度は３０℃以上８０℃以下であることが好ましい。ここで、定格消費電力が大きいほど蛍光ランプからの発熱量は大きくなり、カバーが小さいほど放熱面積が小さくなるので蛍光ランプの周囲温度は上昇する。このような知見に基づいて図３（ａ）〜図３（ｄ）から蛍光ランプの定格消費電力に応じて蛍光ランプの周囲温度が３０℃以上８０℃以下になるようなカバーの外径及び表面積を求めた。図３（ａ）〜図３（ｄ）は、横軸に照明器具の周囲温度及び縦軸にカバーの外径をとり、蛍光ランプを点灯させたときに密閉されたカバー内部の蛍光ランプの周囲温度が３０℃又は８０℃になるのに要するカバーの外径を表したグラフである。この結果、蛍光ランプの定格消費電力が５５Ｗ以上６０Ｗ未満の場合には外径が２６１ｍｍを超え３１０ｍｍ以下（表面積が０．２１４ｍ２を超え０．３０１ｍ２以下）であり、蛍光ランプの定格消費電力が６０Ｗ以上８０Ｗ未満の場合には外径が２８９ｍｍを超え３２６ｍｍ以下（表面積が０．２６２ｍ２を超え０．３３３ｍ２以下）であり、蛍光ランプの定格消費電力が８０Ｗ以上１００Ｗ未満の場合には外径が３１４ｍｍを超え３８３ｍｍ以下（表面積が０．３０９ｍ２を超え０．４６０ｍ２以下）であり、蛍光ランプの定格消費電力が１００Ｗ以上１２０Ｗ以下の場合には外径が３３７ｍｍを超え４３２ｍｍ以下（表面積が０．３５７ｍ２を超え０．５８７ｍ２以下）であれば、照明器具の周囲温度が−５℃から２０℃の範囲内において蛍光ランプの周囲温度が３０℃以上８０℃以下となり高い光出力が得られる。
【００１９】
なお、５５Ｗ未満の蛍光ランプをベースダウンで配置した場合には、５５Ｗ未満の蛍光ランプは５５Ｗ以上１２０Ｗ以下の蛍光ランプに比べて発熱量が少ないため、表面積が０．１５ｍ２以上０．５２ｍ２以下のカバーを使用しても蛍光ランプの周囲温度が３０℃未満となってしまい、高い光出力が得られない。ここで、カバーを小さくして、蛍光ランプの周囲温度が３０℃以上８０℃以下とすることも考えられるが、蛍光ランプの周囲温度が３０℃以上８０℃以下となるまでカバーを小さくすると、カバー内に蛍光ランプが収容するのが困難となり、カバーの設計が困難となるおそれが生じる。
【００２０】
また、５５Ｗ以上１２０Ｗ以下の蛍光ランプをベースアップで配置する場合には、図２に示されるように蛍光ランプの最適な周囲温度は低い温度領域に存在するため、蛍光ランプの周囲温度を最適な温度にするためにはカバーの表面積を０．５２ｍ２より大きくしなければならない。しかしながらカバーを大きくすると、風圧及び振動による影響が大きくなるとともにコストが上昇してしまう。これに対し、本実施の形態では、表面積が０．１５ｍ２以上０．５２ｍ２以下のカバーを使用しているので、風圧及び振動による影響を低減させることができるとともにコストの上昇を抑制することができる。
【００２１】
本実施の形態では、蛍光ランプ７が配置されている空間が密閉空間となっているので、蛍光ランプ７から発せられた熱が逃げ難く、蛍光ランプ７の周囲温度を確実に最適な温度にすることができる。さらに密閉することが可能であるため、従来の屋外照明器具に必須であった水抜穴等を省略することができる。
【００２２】
（第２の実施の形態）
以下、第２の実施の形態について説明する。図４は本実施の形態に係る照明器具の模式的な斜視図である。カバー８は、略球状のものに限らず、図４に示されるような略立方体形状のものであってもよい。
【００２３】
なお、本発明は上記実施の形態の記載内容に限定されるものではなく、構造や材質、各部材の配置等は、本発明の要旨を逸脱しない範囲で適宜変更可能である。
【図面の簡単な説明】
【００２４】
【図１】図１は第１の実施の形態に係る照明器具の模式的な垂直断面図である。
【図２】図２は第１の実施の形態に係る蛍光ランプの周囲温度と蛍光ランプの光出力との関係を示したグラフである。
【図３】図３（ａ）〜図３（ｄ）は第１の実施の形態に係る蛍光ランプを点灯させたときに密閉されたカバー内部の蛍光ランプの周囲温度が３０℃又は８０℃になるのに要するカバーの外径を表したグラフである。
【図４】図４は第２の実施の形態に係る照明器具の模式的な斜視図である。
【符号の説明】
【００２５】
１…照明器具、２…ベース、４…ランプソケット、７…蛍光ランプ、８…カバー。
【図１】
2005216509.tif 000003
【図２】
2005216509.tif 000004
【図３】
2005216509.tif 000005
【図４】
2005216509.tif 000006